(57)【特許請求の範囲】
【請求項１】
手の甲側を覆う手甲部（２）を備え、対象物を把持する際に装着するスポーツ用手袋であって、
前記手甲部（２）上に、天然皮革、合成皮革または人工皮革で構成され、小指、薬指および中指の少なくとも１つの指の基節骨（１０）に沿うように、前記小指、薬指および中指をそれぞれ受け入れる小指部、薬指部および中指部の少なくとも１つに対して個別に、その長手方向に延在する帯（４）を取付けた、スポーツ用手袋。
【請求項２】
前記小指部、薬指部および中指部の長手方向と直交する方向の前記帯（４）の幅を、前記帯（４）が取付けられた前記小指部、薬指部および中指部の長手方向と直交する方向の幅よりも細くした、請求項１に記載のスポーツ用手袋。
【請求項３】
前記帯（４）は、前記小指、薬指および中指の基節骨（１０）から人指し指の中手骨（１１）に向かう方向に延在する、請求項１に記載のスポーツ用手袋。
【請求項４】
手の甲側を覆う手甲部（２）を備え、対象物を把持する際に装着するスポーツ用手袋であって、
前記手甲部（２）に、小指、薬指および中指の少なくとも１つの指の曲げ抵抗を人差し指の曲げ抵抗よりも高める曲げ抵抗部（４，８）を、前記小指、薬指および中指の少なくとも１つの指の基節骨（１０）を覆う部分に、基節骨（１０）の長手方向に沿うように設けることにより、手掌全体による前記対象物の把持力に対する前記小指、薬指および中指による前記対象物の把持力の割合を高めた、スポーツ用手袋。
【請求項５】
前記手甲部（２）は、伸縮性生地で構成される伸縮性部（６）を有し、
前記伸縮性部（６）と重なるように前記曲げ抵抗部（４，８）を設けた、請求項４に記載のスポーツ用手袋。
【請求項６】
前記曲げ抵抗部（４，８）を、前記小指、薬指および中指の少なくとも１つの指の第２指節間関節（１３）から人指し指の中手骨（１１）に向かう方向に延在するように設ける、請求項４に記載のスポーツ用手袋。
【請求項７】
前記曲げ抵抗部（４，８）を、前記小指、薬指および中指の少なくとも１つの指の中節骨（１４）から人指し指の中手骨（１１）に向かう方向に延在するように設ける、請求項４に記載のスポーツ用手袋。
【請求項８】
前記曲げ抵抗部（３）を、前記小指、薬指および中指の少なくとも１つの指の末節骨（１５）から人指し指の中手骨（１１）に向かう方向に延在するように設ける、請求項４に記載のスポーツ用手袋。
【請求項９】
前記曲げ抵抗部（４，８）は、前記手甲部（２）に縫着、接着、熱圧着あるいは熱融着される、請求項４から請求項８のいずれかに記載のスポーツ用手袋。
【請求項１０】
前記曲げ抵抗部（４，８）は、帯（４）と樹脂部（８）とを含む、請求項４から請求項９のいずれかに記載のスポーツ用手袋。
【請求項１１】
前記スポーツ用手袋は野球用の手袋である、請求項４から請求項１０のいずれかに記載のスポーツ用手袋。
【発明の詳細な説明】
【０００１】
【発明の属する技術分野】
本発明は、スポーツ用手袋に関し、より特定的には、各種スポーツの中で球状体や棒状体を把持する競技で用いられるスポーツ用手袋に関する。
【０００２】
【従来の技術】
球状体や棒状体を把持する競技で用いられるスポーツ用手袋では、一般に、手の保護のために手掌側部分の素材を比較的厚くしている。この手掌側部分の素材は通常伸縮性が低いので、スポーツ用手袋全体をかかる素材で構成すると、手に対するフィット感が著しく悪化する。そのため、スポーツ用手袋の手甲部に、伸縮性に優れた素材（以下、単に「伸縮性素材」と称する）を配する等の工夫がなされている。
【０００３】
手甲部に伸縮性素材を配したスポーツ用手袋の一例が、たとえば特開平１１−５７１０７号公報に記載されている。この文献に記載のスポーツ用手袋は、一枚の伸縮性素材に複数の非伸縮性素材を縫着して作成された手甲部と、手掌部とを結合することにより作製される。
【０００４】
このように手甲部に伸縮性素材を配することにより、スポーツ用手袋を装着してたとえばバットのグリップを握った時に手甲部の伸縮性素材が伸びるので、手に対するフィット感が向上する。
【０００５】
【発明が解決しようとする課題】
しかしながら、実際競技において対象物を把持した時には手甲部が必要以上に伸び、手掌部で弛みや皺が発生することがある。手掌部で弛みや皺が発生すると、競技に支障を来たし、競技能力が低下する。
【０００６】
また、対象物が想像通りに握れないため、対象物を握るのに通常よりも大きな力が必要となり、不必要な部分にまで力が入り、微妙で繊細な運動を行なうことが困難となる。
【０００７】
本発明は、上記の課題を解決するためになされたものである。本発明の目的は、対象物を把持した時に手掌部で弛みや皺が発生するのを抑制して手に対するフィット感を向上しながら、対象物を把持した時に適度な締り感も得られ、無駄な力を使うことなくリラックスした状態で対象物を把持することができるスポーツ用手袋を提供することにある。
【０００８】
【課題を解決するための手段】
本発明に係るスポーツ用手袋は、１つの局面では、手の甲側を覆う手甲部を備え、対象物を把持する際に装着するものであり、手甲部上に、天然皮革、合成皮革または人工皮革で構成され、小指、薬指および中指の少なくとも１つの指の基節骨に沿うように、小指、薬指および中指をそれぞれ受け入れる小指部、薬指部および中指部の少なくとも１つに対して個別に、その長手方向に延在する帯を取付けている。
【０００９】
このような帯を設けることにより、対象物を把持したときに、該帯により小指、薬指および中指の少なくとも１つの指を締め付けたような状態になる。それにより、親指や人指し指よりも、小指、薬指および中指でしっかりと対象物を把持することができる。また、上記帯を設けることにより、手掌部で弛みや皺が発生するのを抑制することもできる。
【００１０】
上記小指部、薬指部および中指部の長手方向と直交する方向の帯の幅を、該帯が取付けられた小指部、薬指部および中指部の長手方向と直交する方向の幅よりも細くすることが好ましい。
【００１２】
帯は、好ましくは、小指、薬指および中指の基節骨から人指し指の中手骨に向かう方向に延在する。
【００１４】
本発明に係るスポーツ用手袋は、他の局面では、手甲部に、小指、薬指および中指の少なくとも１つの指の曲げ抵抗を人差し指の曲げ抵抗よりも高める曲げ抵抗部を設けることにより、手掌全体による対象物の把持力に対する小指、薬指および中指による対象物の把持力の割合を高めている。
【００１５】
このように曲げ抵抗部を設けることにより、小指、薬指および中指の少なくとも１つの指の曲げ抵抗を人差し指の曲げ抵抗よりも高めることができ、結果として対象物を把持したときに、小指、薬指および中指の少なくとも１つの指に適度な締付け力を付与することができる。それにより、親指や人指し指よりも、小指、薬指および中指でしっかりと対象物を把持することができ、手掌全体による対象物の把持力を低減しながら小指、薬指および中指による対象物の把持力を維持することができる。その結果、手掌全体による対象物の把持力に対する小指、薬指および中指による対象物の把持力の割合を高めることができる。また、上記曲げ抵抗部を設けることにより、手掌部で弛みや皺が発生するのを抑制することもできる。
【００１６】
上記曲げ抵抗部を、小指、薬指および中指の少なくとも１つの指の基節骨を覆う部分に、該基節骨の長手方向に沿うように設ける。
【００１７】
手甲部は、伸縮性生地で構成される伸縮性部を有し、この伸縮性部と重なるように曲げ抵抗部を設けてもよい。
【００１８】
また、曲げ抵抗部を、小指、薬指および中指の少なくとも１つの指の中手指節関節を覆う部分に設けてもよく、小指、薬指および中指の少なくとも１つの指の第２指節間関節から人差し指の中手骨に向かう方向に延在するように設けてもよく、小指、薬指および中指の少なくとも１つの指の中節骨から人差し指の中手骨に向かう方向に延在するように設けてもよく、小指、薬指および中指の少なくとも１つの指の末節骨から人差し指の中手骨に向かう方向に延在するように設けてもよい。
【００１９】
上記のいずれの場合にも、対象物を把持したときに、小指、薬指および中指の少なくとも１つの指に適度な締付け力を付与することができ、親指や人指し指よりも、小指、薬指および中指でしっかりと対象物を把持することができる。
【００２１】
曲げ抵抗部は、好ましくは、手甲部に縫着、接着、熱圧着あるいは熱融着される。また、曲げ抵抗部を、帯や樹脂部で構成してもよい。
【００２２】
上記のスポーツ用手袋は、好ましくは、野球用の手袋である。より具体的には、当該手袋は、バッティング時に装着される手袋である。
【００２３】
【発明の実施の形態】
以下、図１〜図９を用いて、本発明の実施の形態について説明する。
【００２４】
（実施の形態１）
図１は、本発明の実施の形態１におけるスポーツ用手袋１を手甲側から見た図である。このスポーツ用手袋１は、野球用の手袋であり、バッティング時に装着される。
【００２５】
図１に示すように、スポーツ用手袋１は、手の甲側を覆う手甲部２と、手掌側を覆う手掌部３と、ベルト７とを備える。
【００２６】
そして、手甲部２に、図７に示す小指（第５指）、薬指（第４指）および中指（第３指）の基節骨１０から、親指（第１指）あるいは人指し指（第２指）の中手骨１１に向かう方向に延在する帯４を縫着している。つまり、手甲部２の小指部、薬指部および中指部と、親指部の付根近傍とを接続するように帯４を設けている。
【００２７】
このように帯４を設けることにより、対象物を把持（たとえばグリップ）した後に、該帯４により小指、薬指および中指が締め付けられたような状態になる。つまり、小指、薬指および中指が屈曲した状態のまま対象物に固定されることとなる。それにより、親指や人指し指よりも、小指、薬指および中指でしっかりと対象物を把持することができる。
【００２８】
また、上記帯４を設けることにより、手掌部３で弛みや皺が発生するのを抑制することもできるので、対象物を想像通りに握ることができ、微妙で繊細な運動を行なうことも可能となる。
【００２９】
手甲部２における小指部、薬指部および中指部は、好ましくは、第１伸縮性を有する第１素材部５と、第１伸縮性よりも高い第２伸縮性を有する第２素材部６とを含む。
【００３０】
第１素材部５の材質としては、たとえば天然皮革、第２素材部６の材質としては、たとえばニット素材であるツーウェイトリコット生地等を挙げることができる。
【００３１】
帯４を、第１伸縮性よりも高く第２伸縮性よりも低い第３伸縮性を有する材質で構成してもよく、第１素材や第２素材で構成してもよい。
【００３２】
帯４の材質としては、たとえば天然皮革、合成皮革、人工皮革、ニット素材、ウレタン、シリコンラバー、ゴムを挙げることができる。このように帯４の材質を適切に選択することにより、帯４によって小指、薬指および中指に適度な締付け力を付与することができる。
【００３３】
ここで、各種材料の伸縮性の指標となる伸び強度について述べる。図１１に、各種材料の伸び強度を示す。
【００３４】
図１１に示すように、天然皮革、合成皮革Ａ，Ｂおよびニット素材（ツーウェイトリコット生地）の順に伸び強度が小さくなっているのがわかる。つまり、天然皮革、合成皮革Ａ，Ｂおよびニット素材（ツーウェイトリコット生地等）の順に伸縮性が高くなる。このように伸縮性が異なる素材を、たとえば第１素材部５、第２素材部６、帯４の材質として適切に選択する。
【００３５】
また、帯４は、第２素材部６と重なるように手甲部２に縫着され、図８に示す小指、薬指および中指の中手指節関節１２から湾曲しながら親指あるいは人差し指の中手骨１１に向かって延在する。
【００３６】
上記帯４を手甲部２に取付けることにより、小指、薬指および中指の少なくとも１つの指の曲げ抵抗が、人差し指の曲げ抵抗よりも高くなる。つまり、帯４は、曲げ抵抗部となる。
【００３７】
本願発明者は、かかる曲げ抵抗部である帯４を設けることによる効果を確認すべく、次のような実験を行なったので、その結果について説明する。
【００３８】
本実験では、ニッタ株式会社のグローブスキャンシステムを利用し、感圧センサを手袋に貼り、被験者にティ打撃のゴムを目指して野球用バットのスイングを行なわせ、手への衝撃圧を測定した。被験者は右打者であり、左手にスポーツ用手袋１を装着して実験を行なった。
【００３９】
図９および図１０に、本発明品と従来品についての実験結果を示す。
まず、これらの図の見方を説明する。両図とも左手のデータを表わしており、図の右から左に親指、人差し指、中指、薬指および小指のデータを表わし、図の下から上に手掌から指先にいたる各指のデータを示している。
【００４０】
より詳しくは、各図において、上下方向に並ぶ５列の複数の四角形により各指の先端から根元にかかる力が表されている。すなわち、５列の複数の四角形が、手掌を下に向けた時の左手の各指に対応すると考えればよい。そして、各指の腹部にかかる力が色の濃淡と線の種類とで示されている。色が濃くなるほどかかっている力が大きく、細い横線はかかっている力が小さい。
【００４１】
図９と図１０を比較すると、従来品よりも本発明品の方が、小指に大きな力がかかっていることがわかる。また、従来品よりも本発明品の方が、人差し指にかかる力が減少していることもわかる。
【００４２】
下記の表１に、今回の実験で得られた数値データを示す。表１には、複数の被験者から得られたデータの平均値を示している。
【００４３】
【表１】
0003919433.tif 000002
【００４４】
表１に示すように、手掌全体では発明品の方が従来品よりもかかる力は小さくなっているものの、バッティング時に重要とされる中指、薬指および小指（主要３本）にかかる力は同等である。したがって、手掌全体にかかる力に対する主要３本にかかる力の割合は、発明品の方が従来品よりも高くなっている。
【００４５】
このことから、発明品を使用することにより、「力み」につながる親指および人差し指の力が抜け、中指、薬指および小指に意識を集中することができるものと考えられる。
【００４６】
なお、上記帯４は、手甲部２における小指部、薬指部および中指部の少なくとも１つに取付けられてもよい。また、帯４を、小指、薬指および中指の少なくとも１つの指の第２指節間関節１２から親指または人差し指の中手骨１１に向かう方向に延在するように設けてもよく、小指、薬指および中指の少なくとも１つの指の中節骨１４から親指または人差し指の中手骨１１に向かう方向に延在するように設けてもよく、小指、薬指および中指の少なくとも１つの指の末節骨１５から親指または人差し指の中手骨１１に向かう方向に延在するように設けてもよい。
【００４７】
（実施の形態２）
次に、図２を用いて、本発明の実施の形態２について説明する。図２は、本発明の実施の形態２におけるスポーツ用手袋１を手甲側から見た図である。
【００４８】
図２に示すように、本実施の形態では、相対的に伸縮性の低い第１素材部５の割合を少なくし、相対的に伸縮性の高い第２素材部６の割合を大きくしている。そして、曲げ抵抗部として機能する樹脂部８を設けている。
【００４９】
樹脂部８は、小指、薬指および中指の基節骨１０から中手指節関節１２を覆う手甲部２に取付けられ、中手指節関節１２近傍上一体化され、小指から親指に向かう方向に延在し、人差し指の中手骨１１に沿って手首側に延び、これからさらに枝別れして親指の中手骨１１に向かって延びる複数の部分を有している。
【００５０】
樹脂部８は、たとえばウレタン、シリコンラバー、ゴム等で構成され、手甲部２に接着、熱圧着あるいは熱融着される。
【００５１】
上記のような樹脂部８を設けた場合にも、該樹脂部８によって、結果的に手甲部２の小指部、薬指部および中指部を親指部の付根近傍に位置する部分と接続することができるので、実施の形態１の場合と同様の効果を期待できる。
【００５２】
（実施の形態３）
次に、図３を用いて、本発明の実施の形態３について説明する。図３は、本発明の実施の形態３におけるスポーツ用手袋１を手甲側から見た図である。
【００５３】
本実施の形態では、本発明をゴルフ用手袋に適用している。図３に示すように、手甲部２の小指部、薬指部および中指部の指先から親指部の付根近傍に向かって延在するように帯４を手甲部２に縫着している。
【００５４】
このように帯４を手甲部２に取付けることにより、ゴルフクラブのグリップを把持したときに、手の小指、薬指および中指に締付力を付与することができる。それにより、実施の形態１の場合と同様の効果を期待できる。
【００５５】
また、小指部の付根下から人差し指部と親指部の間に向かって延在し、手の甲の上で帯４と交差するように第１素材部５を延在させている。それにより、スポーツ用手袋１の手掌部における皺や弛み等の発生を抑制することができる。
【００５６】
なお、本実施の形態では、帯４は、たとえば合成皮革、人工皮革等で構成され、第１素材部５は、たとえば天然皮革、合成皮革、人工皮革等で構成され、第２素材部６は、たとえば合成皮革、ニット素材等で構成される。
【００５７】
（実施の形態４）
次に、図４を用いて、本発明の実施の形態４について説明する。図４は、本発明の実施の形態４におけるスポーツ用手袋１を手甲側から見た図である。
【００５８】
本実施の形態のスポーツ用手袋１も、ゴルフ用手袋である。本実施の形態では、図４に示すように、帯４を、薬指部および中指部の指先から人差し指の中手骨に向けて延在させ、さらに人差し指部と親指部との間に延在させている。小指部に縫着される帯４を、手首側に向かって延在させ、ベルト７を介して親指部の付根に接続している。
【００５９】
それにより、対象物を把持した際に小指、薬指および中指に適度な締付け力を付与しながら、手掌部における皺や弛み等の発生をも抑制することができる。
【００６０】
（実施の形態５）
次に、図５を用いて、本発明の実施の形態５について説明する。図５は、本発明の実施の形態５におけるスポーツ用手袋１を手甲側から見た図である。
【００６１】
本実施の形態以降の実施の形態では、帯４（曲げ抵抗部）の形状の変形例について説明する。
【００６２】
本実施の形態では、帯４を、小指、薬指および中指の少なくとも１つの指の基節骨を覆う部分に設ける。図５に示す例では、帯４を、小指、薬指および中指の基節骨１０を覆う部分に設けている。
【００６３】
図５に示すように各帯４の一端は互いに接続され、この接続部は図示しない親指部の付根近傍と接続される。手甲部２の小指部、薬指部および中指部は、各帯４および上記接続部を介して、スポーツ用手袋１の親指部の付根近傍と接続される。この場合にも、対象物を把持した際に小指、薬指および中指に適度な締付け力を付与することができるものと考えられる。
【００６４】
（実施の形態６）
次に、図６を用いて、本発明の実施の形態６について説明する。図６は、本発明の実施の形態６におけるスポーツ用手袋１を手甲側から見た図である。
【００６５】
本実施の形態では帯４を、小指、薬指および中指の少なくとも１つの指の中手指節関節１２を覆う部分に設ける。図６に示す例では、小指、薬指および中指の中手指節関節１２を覆う部分に帯４を縫着している。
【００６６】
図６に示すように各帯４の一端は互いに接続され、この接続部は親指部の付根近傍と接続される。したがって、手甲部２の小指部、薬指部および中指部は、実施の形態５の場合と同様に、各帯４および上記接続部を介してスポーツ用手袋１の親指部の付根近傍と接続される。
【００６７】
本実施の形態６の場合にも、実施の形態５の場合と同様に、対象物を把持した際に小指、薬指および中指に適度な締付け力を付与することができるものと考えられる。
【００６８】
（実施の形態７）
次に、図７を用いて、本発明の実施の形態７について説明する。図７は、本発明の実施の形態７におけるスポーツ用手袋１を手甲側から見た図である。
【００６９】
本実施の形態では樹脂部８を、小指、薬指および中指の少なくとも１つの指の第２指節間関節１２近傍から各指の中手骨１１を覆う部分に設ける。図７に示す例では、小指、薬指および中指の第２指節間関節１２近傍から各指の中手骨１１を覆う部分に樹脂部８を設けている。樹脂部８は、手甲部２に、縫着、接着、熱圧着あるいは熱融着される。
【００７０】
この場合にも、樹脂部８によって、対象物を把持した際に小指、薬指および中指に適度な締付け力を付与することができるものと考えられる。
【００７１】
なお、上述の各実施の形態では、主に野球用およびゴルフ用の手袋について説明したが、球状体や棒状体等の対象物を把持する際に用いるものであれば上記以外のスポーツで用いられる手袋に本発明を適用してもよい。
【００７２】
以上のように、この発明の実施の形態について説明を行ったが、今回開示した実施の形態はすべての点で例示であって制限的なものではないと考えられるべきである。本発明の範囲は、特許請求の範囲によって示され、特許請求の範囲と均等の意味および範囲内での全ての変更が含まれることが意図される。
【００７３】
【発明の効果】
本発明によれば、親指や人指し指よりも、小指、薬指および中指でしっかりと対象物を把持することができ、対象物を把持した時に小指、薬指および中指に意識を集中することができる。それにより、無駄な力を使うことなくリラックスした状態で対象物を把持することができ、手掌全体による把持力に対する小指、薬指および中指による把持力の割合を高めることができる。その結果、素手の時や一般的な手袋を使用した場合よりも競技能力を向上することができる。
【００７４】
また、手掌部で弛みや皺が発生するのを抑制することもできるので、手に対するフィット感が向上し、対象物を想像通りに握ることができ、微妙で繊細な運動を行なうことも可能となる。
【図面の簡単な説明】
【図１】  本発明の実施の形態１におけるスポーツ用手袋を手甲側から見た図である。
【図２】  本発明の実施の形態２におけるスポーツ用手袋を手甲側から見た図である。
【図３】  本発明の実施の形態３におけるスポーツ用手袋を手甲側から見た図である。
【図４】  本発明の実施の形態４におけるスポーツ用手袋を手甲側から見た図である。
【図５】  本発明の実施の形態５におけるスポーツ用手袋を手甲側から見た図である。
【図６】  本発明の実施の形態６におけるスポーツ用手袋を手甲側から見た図である。
【図７】  本発明の実施の形態７におけるスポーツ用手袋を手甲側から見た図である。
【図８】  手の骨格図である。
【図９】  発明品の実験結果を示す図である。
【図１０】  従来品の実験結果を示す図である。
【図１１】  各種材料の伸び強度を示す図である。
【符号の説明】
１  スポーツ用手袋、２  手甲部、３  手掌部、４  帯、５  第１素材部、６第２素材部、７  ベルト、８  樹脂部、１０  基節骨、１１  中手骨、１２  中手指節関節、１３  第２指節間関節、１４  中節骨、１５  末節骨。
【図１】
0003919433.tif 000003
【図２】
0003919433.tif 000004
【図３】
0003919433.tif 000005
【図４】
0003919433.tif 000006
【図５】
0003919433.tif 000007
【図６】
0003919433.tif 000008
【図７】
0003919433.tif 000009
【図８】
0003919433.tif 000010
【図９】
0003919433.tif 000011
【図１０】
0003919433.tif 000012
【図１１】
0003919433.tif 000013